(57)【要約】      （修正有）【課題】建築の可否が敷地条件に左右されにくい勾配屋根架構を提供する。【解決手段】勾配屋根架構１００Ａは、構面Ｐ内の架構であって、柱１０１及び梁１０５を有する下層架構１５０Ａと、柱１０１及び梁１０５を有し、少なくとも一方の桁梁１０６の位置が下層架構１５０Ａの桁梁１０６の位置より後退した状態となるように下層架構１５０Ａの上に構築された上層架構１３０Ａと、一対の第１の登り梁１２１を有し、第１の登り梁１２１の上端同士が互いに接合され、少なくともいずれか一方の第１の登り梁１２１の下端が柱梁接合部近傍に接合されて、上層架構１３０Ａの上に構築された頂部架構１２０Ａと、上端が柱梁接合部近傍に接合され、下端が下層架構１５０Ａに対して接合され、一対の第１の登り梁１２１のうち一方の第１の登り梁１２１と一直線状となるように配置された第２の登り梁１４１を有する裾部架構１４０Ａと、を備える。【選択図】図１
2015224465.tif 000002
【特許請求の範囲】
【請求項１】
勾配屋根を有する建物における妻面に平行な構面内の架構であって、
柱及び梁を有する下層架構と、
柱及び梁を有し、少なくとも一方の桁となる梁の位置が前記下層架構の桁となる梁の位置より後退した状態となるように前記下層架構の上に構築された上層架構と、
一対の第１の登り梁を有し、前記第１の登り梁の上端同士が互いに接合され、少なくともいずれか一方の第１の登り梁の下端が前記上層架構に対して前記上層架構の柱梁接合部近傍に接合されて、前記上層架構の上に構築された頂部架構と、
上端が前記上層架構に対して前記上層架構の柱梁接合部近傍に接合され、下端が前記下層架構に対して接合され、前記一対の第１の登り梁のうち一方の前記第１の登り梁と一直線状となるように配置された第２の登り梁を有する裾部架構と、を備えた勾配屋根架構。
【請求項２】
前記第２の登り梁に沿って袖壁が形成されている、請求項１記載の勾配屋根架構。
【請求項３】
前記第２の登り梁の下端は、前記下層架構に対して水平方向に相対的に移動可能に接合されている、請求項１又は２に記載の勾配屋根架構。
【請求項４】
前記下層架構は、水平部と傾斜部とが屈曲部で連続しているへの字梁を備え、
前記傾斜部は、前記一方の第１の登り梁及び第２の登り梁と同一の傾斜角を有し、
前記第２の登り梁の下端は、前記への字梁の屈曲部近傍に接合され、
前記一方の第１の登り梁、第２の登り梁及び傾斜部は一直線状となるように設けられている、請求項１〜３のいずれか一項に記載の勾配屋根架構。
【発明の詳細な説明】
【技術分野】
【０００１】
本発明は、勾配屋根架構に関する。
【背景技術】
【０００２】
従来、所定の勾配をもった勾配屋根を備えた建物が知られている。例えば特許文献１には、工場で製造された複数の箱状のユニットを組み合わせて形成される勾配屋根を備えた建物が開示されている。この建物では、建物本体を構成する建物ユニット、傾斜面を構成する屋根ユニット、小屋裏空間を構成する低建物ユニット等を組み合わせるユニット構法によって、勾配屋根を備えた建物が構成されている。
【先行技術文献】
【特許文献】
【０００３】
【特許文献１】特開平１０−３１１１１６号公報
【発明の概要】
【発明が解決しようとする課題】
【０００４】
しかしながら、このようなユニット構法に用いられる各ユニットは、比較的大きな箱状に形成されている。そのため、敷地条件によっては、現場へのユニットの搬入や現場での施工などが困難であり、建築できない虞があった。
【０００５】
また、このようなユニット構法を用いずに、一般的な合掌形式、洋小屋形式、束形式等の勾配屋根架構を行う場合には、屋根の大きさ（高さや間口）に応じた長さの登り梁（合掌材）、垂木等の斜材を必要とする。そのため、ユニット構法と同様に、敷地条件によっては、搬入、施工等が困難であり、建築できない虞があった。
【０００６】
本発明は、以上の課題を解決することを目的としており、建築の可否が敷地条件に左右されにくい勾配屋根架構を提供することを目的とする。
【課題を解決するための手段】
【０００７】
本発明は、勾配屋根を有する建物における妻面に平行な構面内の架構であって、柱及び梁を有する下層架構と、柱及び梁を有し、少なくとも一方の桁となる梁の位置が下層架構の桁となる梁の位置より後退した状態となるように下層架構の上に構築された上層架構と、一対の第１の登り梁を有し、第１の登り梁の上端同士が互いに接合され、少なくともいずれか一方の第１の登り梁の下端が上層架構に対して上層架構の柱梁接合部近傍に接合されて、上層架構の上に構築された頂部架構と、上端が上層架構に対して上層架構の柱梁接合部近傍に接合され、下端が下層架構に対して接合され、一対の第１の登り梁のうち一方の第１の登り梁と一直線状となるように配置された第２の登り梁を有する裾部架構と、を備える。
【０００８】
上記の勾配屋根架構では、第１の登り梁によって構築された頂部架構と第２の登り梁によって構築された裾部架構とによって勾配屋根が形成されている。そのため、大きな勾配屋根を構築する場合であっても、登り梁が第１の登り梁と第２の登り梁とに分割されるため、運搬性や施工性が向上する。また、第１の登り梁と第２の登り梁とが一直線状となるように配置されるため、仕上がりとしては、直線状の一つの登り梁を使用した場合と同等の外観を得ることができる。
【０００９】
また、第２の登り梁に沿って袖壁が形成されていてもよい。この場合、袖壁が屋根の登り梁に沿って斜めに形成されることで、桁面側においては、採光性に優れた居室空間を構築することができるとともに、袖壁が下方からの目隠しとして機能する。また、妻面側から目視した際に、同じ傾きの一連の勾配屋根が段差なく下層架構まで延伸したような印象を与えることができ、意匠性に優れた外観を備えることができる。
【００１０】
また、第２の登り梁の下端は、下層架構に対して水平方向に相対的に移動可能に接合されていてもよい。この場合、外力によって建物に変形が生じた場合でも、下層架構に大きな荷重が作用することが抑制される。そのため、下層架構の部材断面を大きくしたり、補強用の柱を追加したりする必要がなく、運搬性や施工性が低下しない。
【００１１】
また、下層架構は、水平部と傾斜部とが屈曲部で連続しているへの字梁を備え、傾斜部は、一方の第１の登り梁及び第２の登り梁と同一の傾斜角を有し、第２の登り梁の下端は、への字梁の屈曲部近傍に接合され、一方の第１の登り梁、第２の登り梁及び傾斜部は一直線状となるように設けられていてもよい。第１の登り梁、第２の登り梁及び傾斜部が一直線状となるように設けられることで、より大きな勾配屋根を構築することができる。また、より大きな勾配屋根を構築する場合であっても、運搬性や施工性が低下しない。
【発明の効果】
【００１２】
本発明によれば、建築の可否が敷地条件に左右されにくい勾配屋根架構を提供することができる。
【図面の簡単な説明】
【００１３】
【図１】（ａ）は本発明の第１の実施形態に係る勾配屋根架構を示す斜視図である。（ｂ）は当該勾配屋根架構を備えた建物の外観を示す斜視図である。
【図２】第１の実施形態に係る第１の登り梁の上端部を拡大して示す側面図である。
【図３】第１の実施形態に係る第１の登り梁の下端部及び第２の登り梁の上端部を拡大して示す側面図である。
【図４】第１の実施形態に係る第２の登り梁の下端部を拡大して示す断面図である。
【図５】下部接合金物を拡大して示す斜視図である。
【図６】（ａ）は本発明の第２の実施形態に係る勾配屋根架構を示す斜視図である。（ｂ）は当該勾配屋根架構を備えた建物の外観を示す斜視図である。
【図７】第３の実施形態に係る勾配屋根架構を備えた建物の架構を示す側面図である。
【図８】第４の実施形態に係る勾配屋根架構を備えた建物の架構を示す側面図である。
【発明を実施するための形態】
【００１４】
以下、本発明に係る実施の形態について図面を参照しながら具体的に説明する。図１（ａ）、（ｂ）に示されるように、第１の実施形態に係る勾配屋根架構１００Ａを備えた建物１Ａは、鉄骨ラーメン構造の架構を有する工業化住宅であり、予め規格化(標準化)された構造部材の組み合わせによって架構（軸組）が構成される。構造部材は工場にて製造され、現場にて組み立て作業がなされる。建物１Ａにおける勾配屋根架構１００Ａは、複数層の主架構を備えている。複数の主架構のうち、最上階を形成する主架構は上層架構１３０Ａであり、上層架構１３０Ａの下に隣接して設けられた主架構は下層架構１５０Ａである。なお、本実施形態では鉄骨ラーメン構造の主架構を例に説明するが、鉄骨ピンブレース構造、木造軸組構造等であってもよい（但し、鉄骨の柱・梁を予め直方体形状に形成した複数のユニットを搬入し建築現場でこられユニットを組み合わせて構築する、所謂ユニット構造、ボックスラーメン構造等と呼ばれる架構は除く）。
【００１５】
建物１Ａは、所定の平面モジュールを有している。この平面モジュールとは、建築において設計上の基準となる基本寸法を意味し、建物１Ａは、平面的寸法（隣り合う柱の中心間の距離など）が平面モジュールの整数倍となるように構成される。
【００１６】
建物１Ａは、下部構造である基礎部３を備えており、この基礎部３は例えば鉄骨コンクリート造の布基礎からなる。また、建物１Ａの一部を形成する床や外壁は、平面モジュールに基づく平面的寸法を有する軽量気泡コンクリート（ＡＬＣ）パネルからなる。
【００１７】
建物１Ａの主架構は、通り（布基礎）の交点上に立設された複数の柱１０１と、各通り上で、隣接する柱１０１間に架け渡された複数の梁（大梁＝柱で支持された梁）１０５とで構成されている。
【００１８】
柱１０１は角形鋼管からなり、４つの側面に各階の梁１０５との接合部１０１ａを備え、それぞれの接合部１０１ａには梁１０５をボルト接合するためのボルト孔１０１ｂが穿設される（例えば図３参照）。柱脚部１０１ｃにはベースプレート（図示省略）が溶接され、露出型固定柱脚工法にて基礎に接合される。柱１０１には、原則として１階から連続した通し柱が使用されるが、２階以上の架構を構成する柱については、下端が下階の架構を構成する梁１０５に接合され、１階（基礎）まで到達しない柱を使用することができる。本実施形態では、上層架構の一部に管柱１０３が使用されている。各階の梁１０５は、Ｈ形鋼からなり、その両端部には、鋼板からなりボルト孔が穿設されたエンドプレート１１６が溶接されている（例えば図３参照）。エンドプレート１１６は、柱１０１の側面における接合部１０１ａに当接されて高力ボルト接合される。
【００１９】
梁１０５は、平面モジュールの整数倍の「呼び長さ（梁を架け渡す２本の柱間の芯−芯寸法）」を有しており、平面モジュールに対応した刻み寸法で複数種制定される。また、例えば、梁に取り付ける他の部材の寸法を統一し、部品の種類を減らすために、梁１０５の梁成、幅及びウェブ厚は、設置階や「呼び長さ」にかかわらず全て共通となっている。フランジ厚及びウェブ厚については接合に支障を生じない程度のバリエーションがある。なお、フランジの内側には他の部材を取り付けないため、フランジ厚の変更は接合に影響しない。梁１０５の上下フランジ及びウェブには、平面モジュールに基づくピッチで他の部材をボルト接合（固定）するためのボルト孔が穿設されている。互いに対向する梁１０５間には床パネル支持のための二次梁（図示省略）が適宜架け渡される。二次梁も平面モジュールの整数倍の呼び長さを有する。二次梁は、平面視でＴ字状あるいはＬ字状のジョイント金物を介して梁１０５のウェブにボルト接合される。ジョイント金物は梁１０５のウェブに予めボルト接合されたのち、その突出片に二次梁がボルト接合される。
【００２０】
このような主架構を備えた建物１Ａは、外観上、２階建の陸屋根形式建物の屋根面５に庇のない切妻の屋根７がかけられ、その内部が３階部分とされた構成である。そのため、２階部分が下層架構１５０Ａ、３階部分が上層架構１３０Ａとなる。本実施形態では、上層架構１３０Ａの上に頂部架構１２０Ａが設けられ、上層架構１３０Ａと下層架構１５０Ａとに裾部架構１４０Ａが架け渡されている。以下、それぞれの架構について説明する。なお、本実施形態では、前述したような柱及び梁等が柱勝ちに構成された下層架構１５０Ａ及び上層架構１３０Ａを例に説明するが、これは梁勝ちであってもよい。
【００２１】
下層架構１５０Ａは、前述のように、複数の柱１０１と、柱１０１間に架け渡された梁１０５とによって構成されている。本実施形態では、下層架構１５０Ａの妻方向のスパン数は２であり、桁方向のスパン数は１となっている。すなわち、下層架構１５０Ａにおいては、四隅にそれぞれ柱１０１が設けられるとともに、妻面Ｔを構成する構面（妻方向の構面）Ｐにおける左右両端の柱１０１の中間の位置にも柱１０２が設けられている。このような主架構を備える下層架構１５０Ａでは、梁１０５間に図示しない二次梁が適宜架け渡されたうえで、ＡＬＣパネル等からなる床スラブが敷設される。この床スラブの上には、防水層が形成される。下層架構１５０Ａにおいては、床スラブまたは水平ブレースによって、剛性が確保されている。また、桁面Ｋ及び妻面Ｔに沿ってＡＬＣパネル等からなる外壁パネル及び窓やドア等の開口パネルが取り付けられて外壁Ｗが形成されている。
【００２２】
上層架構１３０Ａは、複数の柱１０１と、柱１０１間に架け渡された梁１０５とによって構成されており、下層架構１５０Ａの上に構築されている。本実施形態では、４本の柱１０１と４本の梁１０５とによって上層架構１３０Ａが構成されているため、上層架構１３０Ａのスパン数は、妻方向及び桁方向でいずれも１となっている。妻面Ｔを構成する構面Ｐにおいて、一方の柱１０２は下層架構１５０Ａの中間の柱１０２と共通しており、他方の柱１０３は下層架構１５０Ａの梁１０５の中間に位置している。これにより、桁となる梁（桁梁）１０６の位置（最外端の柱位置）は、下層架構１５０Ａにおける桁梁１０６の位置よりも後退した状態となっている。すなわち、上層架構１３０Ａの桁位置が下層架構１５０Ａの桁位置よりも内側に位置することで、上層架構１３０Ａは下層架構１５０Ａの上に凸状に形成される。このように、下層架構１５０Ａに対し、上層架構１３０Ａを後退させることで形成された領域は上方が開放されており、建築基準法に規定された斜線制限を回避し易くするための領域（後退部Ｂ）となる。
【００２３】
上層架構１３０Ａの上に構築される頂部架構１２０Ａは、妻面Ｔを構成する構面Ｐに設けられる一対の第１の登り梁１２１と、対向する妻面Ｔ間において登り梁１２１の上端同士を連結する棟梁１２９とを備えている。対向する妻面Ｔは同様の架構であるため、一方側のみ説明する。いずれもＨ形鋼によって形成される第１の登り梁１２１及び棟梁１２９は、平面視において互いに直交するように配置されている。
【００２４】
図２に示されるように、同じ斜度で傾斜する一対の第１の登り梁１２１の上端１２１ａには、それぞれ上部接合金物１２３がボルト等の締結部１２３ａによってウェブ１２１ｂに固定されており、この上部接合金物１２３が棟梁１２９のウェブ１２９ｂを挟み込んだ状態でボルト等の締結部１２３ｂによって固定されている。これにより、一対の第１の登り梁１２１は、棟梁１２９を介して上端１２１ａ同士が互いに接合された、いわゆる合掌構造となっている。棟梁１２９は、対向する妻面Ｔの第１の登り梁１２１に対して同様に固定されている。上部接合金物１２３は、例えば、金属プレートが断面Ｔ字状に形成されたものでもよいし、断面Ｌ字状に形成されたものでもよい。
【００２５】
図３に示されるように、一対の第１の登り梁１２１の下端１２１ｃは、上層架構１３０Ａの柱梁接合部１３１近傍に下部接合金物１２５を介して接合されている。本実施形態では、柱勝ちとなっているため、第１の登り梁１２１は、柱梁接合部１３１近傍の一つである柱１０１の頭部１０１ｄに下部接合金物１２５を介して接合されている。第１の登り梁１２１のウェブ１２１ｂの下端にはエンドプレート１２６が溶接されている。また、柱の頭部１０１ｄには、下部接合金物１２５がボルト等の締結部１２５ａによって固定されている。下部接合金物１２５は、断面Ｌ字状に屈曲した板状であり、柱の頭部１０１ｄに対して締結部１２５ａにて取り付けられる当接片１２５ｂと、当接片１２５ｂから屈曲して略垂直に立設された支持片１２５ｃとを有する。当接片１２５ｂの上面には、支持片１２５ｃに並んで補助片１２５ｄが立設されており、支持片１２５ｃと補助片１２５ｄとの間には補強リブ１２５ｅが設けられている。第１の登り梁１２１のエンドプレート１２６と、下部接合金物１２５の支持片１２５ｃとがボルト等の締結部１２７によって接合されることで、第１の登り梁１２１が上層架構１３０Ａに接合される。
【００２６】
第１の登り梁１２１、棟梁１２９及び上層架構１３０Ａの桁梁１０６で囲まれた領域には、対角線状をなすように勾配ブレース（屋根面ブレース）１２８が張設される（図１（ａ）においては、一方側の屋根面の勾配ブレース１２８のみを破線で示している）。これにより、屋根面の剛性が確保され、棟方向（桁方向）についても安定した架構となる。頂部架構１２０Ａにおいては、第１の登り梁１２１に沿ってＡＬＣパネル等の下地パネル７ａ（図２参照）が敷設され、更に下地パネルの上に屋根材が葺かれて勾配屋根７が形成される。また、妻面Ｔには外壁パネルが取り付けられて、上層架構１３０Ａの妻面Ｔの外壁に連続する外壁Ｗが形成される。このように、上層架構１３０Ａの上に頂部架構１２０Ａの屋根面（勾配ブレース）が構築されることによって、上層架構１３０Ａの剛性も確保される。そのため、上層架構１３０Ａにおいては、床スラブや水平ブレースを省略して、屋根面に沿う勾配天井とすることで、天井高を高くすることができる。
【００２７】
裾部架構１４０Ａは、妻面Ｔを構成する構面Ｐに設けられる第２の登り梁１４１を有している。第２の登り梁１４１は、妻面Ｔを構成する構面Ｐにおいて上層架構１３０Ａの左右に設けられるが、略同様の構成であるため、まず図１（ａ）における右側の登り梁を説明し、左側については右側と異なる部分についてのみ説明する。なお、対向する妻面Ｔは同様の架構を備えるため、一方側の妻面Ｔのみ説明する。図３に示されるように、第２の登り梁１４１は、第１の登り梁１２１と同一断面のＨ形鋼からなっており、第１の登り梁１２１と一直線状（図３において二点鎖線で示される）となるように上層架構１３０Ａの柱梁接合部１３１近傍と下層架構１５０Ａの上端面とに架け渡されている。第２の登り梁１４１の上端１４１ａにおいては、上部接合金物１４２がボルト等の締結部１４２ａによってウェブ１４１ｂに固定されており、この上部接合金物１４２が上層架構１３０Ａの柱１０１の上端部における接合部１０１ａに対してボルト等の締結部１４２ｂによって固定されている。また、図４に示されるように、第２の登り梁１４１の下端１４１ｃは、下層架構１５０Ａに固定された下部接合金物１４５に接合されている。下部接合金物１４５は、Ｈ型鋼からなる下層架構１５０Ａの梁１０５ａの長手方向の中間に接合されている。
【００２８】
図４及び図５に示されるように、下部接合金物１４５は、断面Ｌ字状に屈曲した本体部１４５ａを有し、本体部１４５ａは、梁１０５ａのフランジ１０５ｃにボルト等の締結部１０５ｄにて取り付けられる当接片１４５ｂと、当接片１４５ｂから屈曲して略垂直に立設された支持片１４５ｃとを有する。当接片１４５ｂの上面には、支持片１４５ｃに並んで補助片１４５ｄが立設されており、支持片１４５ｃと補助片１４５ｄとの間には補強リブ１４５ｅが設けられている。
【００２９】
支持片１４５ｃの上部には、第２の登り梁１４１に接合される接合片１４５ｆが横方向（水平方向）に突き出すように設けられている。接合片１４５ｆは、鉛直面に沿って設けられた矩形板状であり、一側面には補強片１４５ｇが水平面に沿うように設けられている。接合片１４５ｆには、補強片１４５ｇを挟んで上下の位置に、それぞれ長孔１４５ｈが形成されている。上下の長孔１４５ｈは、長手方向が水平方向に沿うように設けられている。
【００３０】
第２の登り梁１４１のウェブ１４１ｂの下端には、下方に突き出た突出片１４１ｄが形成されている。突出片１４１ｄは下部接合金物１４５の接合片１４５ｆに当接している。また、突出片１４１ｄには、接合片１４５ｆの長孔１４５ｈの中心に重なるように丸孔１４１ｅが形成されている。下部接合金物１４５の長孔１４５ｈ、及び第２の登り梁１４１の丸孔１４１ｅにはボルト１４７ｄの軸部が挿通されるとともに、軸部の端部にナットが螺合されることで第２の登り梁１４１と下部接合金物１４５とが締結される。このボルトナットによる締結の際にはトルク管理がされており、所定の力が作用した際に突出片１４１ｄが下部接合金物１４５の接合面に対して滑って、第２の登り梁１４１の下端が下層架構１５０Ａに対して相対的に水平移動するように構成されている。
【００３１】
このような第２の登り梁１４１を備えた裾部架構１４０Ａの右側においては、対向する妻面Ｔを構成する構面との中間にさらに登り梁１４３が設けられている。この登り梁１４３では、第２の登り梁１４１と同様に、上端が上部接合金物１４２によって上層架構１３０Ａの桁梁１０６に接合され、下端が下部接合金物１４５によって下層架構１５０Ａの二次梁１０７に接合される。この二次梁１０７は、梁１０５ａに対する第２の登り梁１４１の接合位置１０５ｂ間に架け渡されているため、登り梁１４３は、第２の登り梁１４１と同じ傾斜を有することになる。このような登り梁１４３を設けることで、桁方向の中間に妻面Ｔに平行な構面を設けることができる。
【００３２】
隣接する２本の第２の登り梁１４１の間の領域には、図１（ｂ）に示されるように、頂部架構１２０Ａの勾配屋根７と同様の勾配を有した勾配屋根８が、頂部架構１２０Ａの勾配屋根７に連続するように設けられている。勾配屋根８の下方は、上層架構１３０Ａ内の空間と一体の空間となっている。
【００３３】
本実施形態では、中間に設けられた登り梁１４３を利用することで、上層架構１３０Ａの一部の桁面（図１において、右奥の桁面）に対しては、勾配屋根８が設けられている。一方、上層架構１３０Ａの他の桁面（図１において、右手前の桁面）には、外壁パネル、窓、ドア等の開口パネル９が取り付けられている。これにより、下層架構１５０Ａの桁面の外壁Ｗよりも後退した外壁（開口パネル９）を形成することができ、後退した領域を利用してベランダ（バルコニー）９ａを設けることができる。図面上、手前側の妻面Ｔを構成する構面Ｐにおいて、第２の登り梁１４１を外壁パネルで挟み込むことによって、第２の登り梁１４１に沿って、頂部架構１２０Ａの勾配屋根７に連続した直角三角形状の袖壁１０が形成されている。
【００３４】
左側に位置する第２の登り梁１４１Ｌは、第２の登り梁１４１と同じように、第１の登り梁１２１と一直線状となるように上層架構１３０Ａと下層架構１５０Ａとに架け渡されている。この第２の登り梁１４１Ｌは、その下端が下部接合金物１４５によって下層架構１５０Ａの柱１０１の頭部に接合されている点において第２の登り梁１４１と異なっている。このような第２の登り梁１４１Ｌを備えた左側の裾部架構１４０においては、対向する妻面Ｔを構成する構面の中間に登り梁が設けられていない。そのため、頂部架構１２０Ａの勾配屋根７と同様の勾配を有した勾配屋根８Ｌが、対向する妻面Ｔ間の全面にわたって頂部架構１２０Ａの勾配屋根７に連続するように設けられている。
【００３５】
この建物１Ａでは、第１の登り梁１２１によって構築された頂部架構１２０Ａと第２の登り梁１４１によって構築された裾部架構１４０とによって勾配屋根７，８が連続して一体的に形成されている。そのため、大きな勾配屋根を構築する場合であっても、登り梁が第１の登り梁１２１と第２の登り梁１４１とに分割されるため、運搬性や施工性が向上する。また、第１の登り梁１２１と第２の登り梁１４１とが、同一の傾斜を有して一直線状となるように、柱梁接合部１３１の近傍に配置されるため、仕上がりとしては、直線状の一つの登り梁を使用した場合と同等の外観を得ることができる。
【００３６】
また、３階部分の一部にベランダ９ａを設けながら、妻面Ｔを構成する袖壁１０が設けられている。そのため、袖壁１０が第２の登り梁１４１に沿って斜めに形成されることで、桁面側においては、採光性に優れた３階居室空間を構築することができるとともに、袖壁１０が下方からの目隠しとして機能する。また、ベランダ９ａの位置に勾配屋根８が形成されていないにもかかわらず、妻面側から目視した際には、同じ傾きの一連の勾配屋根７，８が段差なく頂部架構１２０Ａから下層架構１５０Ａまで延伸したような印象を与えることができ、意匠性に優れたものとなる。
【００３７】
また、第２の登り梁１４１の下端１４１ｃが、下層架構１５０Ａに対して相対的に水平移動するように構成されているため、外力によって建物に変形が生じた場合でも、下層架構１５０Ａに大きな荷重が作用することが抑制される。そのため、下層架構１５０Ａの部材断面を大きくしたり、補強用の柱を追加したりする必要がなく、運搬性や施工性が低下しない。地震などによって上層架構１３０Ａと下層架構１５０Ａとが相対変位した場合において、第２の登り梁１４１に作用する力が所定の値に達すると、第２の登り梁１４１の下端１４１ｃが下層架構１５０Ａに対して相対的に水平移動するので、第２の登り梁１４１には大きな軸方向力が作用せず、下層架構１５０Ａとの接合位置１０５ｂに応力が集中することを抑制できる。その結果、第２の登り梁１４１が、建物１Ａの構造設計（構造計算）に影響を与えてしまうことを抑制できる。特に、本実施形態では、第２の登り梁１４１の下端１４１ｃが、撓みが大きくなりやすい梁１０５ａの中間（接合位置１０５ｂ）に接合されているが、梁１０５ａの中間に応力が集中するのを避けることができるので有利である。
【００３８】
また、仮に想定外の過大な水平力が作用することで下部接合金物１４５が損傷しても、第２の登り梁１４１の上端１４１ａは上層架構１３０Ａに接合された状態を維持され、第２の登り梁１４１が上層架構１３０Ａに保持された状態は維持されるため、安全性が確保される。
【００３９】
また、この下部接合金物１４５では、下層架構１５０Ａに対する第２の登り梁１４１の鉛直方向の移動を規制し、水平方向の移動を許容する構成であり、第２の登り梁１４１の鉛直荷重は下層架構１５０Ａにて支持されることになる。したがって、第２の登り梁１４１を下層架構１５０Ａに取り付ける際には、第２の登り梁１４１の下端を浮かせた状態を保つ必要がなく、下層架構１５０Ａに預けて（第２の登り梁１４１の重量を負担させて）の取り付けが可能になるので、施工性がよい。また、第２の登り梁１４１の荷重や第２の登り梁１４１が支持する部材の荷重である長期荷重を安定して支持することができる。
【００４０】
次に、図６を参照し、第２の実施形態に係る勾配屋根架構１００Ｂを備える建物１Ｂについて説明する。なお、第２の実施形態に係る建物１Ｂは、第１の実施形態に係る建物１Ａと同様の要素や構造を備えている。そのため、第１の実施形態と同様の要素や構造には同一の符号を付して詳細な説明は省略し、第１の実施形態と異なる部分について説明する。
【００４１】
図６に示されるように、建物１Ｂでは、下層架構１５０Ｂにおける一部の梁の形状が第１の実施形態と相違している。また、これに伴って下層架構１５０Ｂにおける一部の柱の形態も第１の実施形態と相違している。
【００４２】
建物１Ｂの妻面Ｔを構成する構面Ｐにおいて、図面上右側のスパンの梁は、水平部１０８ａと傾斜部１０８ｂとが屈曲部１０８ｃで連続しているへの字梁１０８となっている。への字梁１０８の水平部１０８ａは、右側のスパンにおける梁１０５に連続して、第２の登り梁１４１との接合位置まで形成されている。への字梁１０８の水平部１０８ａには、この接合位置の近傍を屈曲部１０８ｃとして、第１の登り梁１２１及び第２の登り梁１４１と同一の傾斜角で下向きに傾斜する傾斜部１０８ｂが連続している（すなわち、第２の登り梁１４１の下端１４１ｃは、への字梁１０８における屈曲部１０８ｃ近傍に接合されている）。この傾斜部１０８ｂの端部は、他の柱１０１より短く形成された柱１０１Ｂの上部に接続される。この柱１０１Ｂと対向する妻面の柱１０１Ｂとの間には桁梁１０６が架け渡される。これにより、第１の登り梁１２１、第２の登り梁１４１及び傾斜部１０８ｂは一直線状となる。対向する妻面における傾斜部１０８ｂ間の上方には、頂部架構１２０Ａ及び裾部架構１４０Ａの勾配屋根７，８と同一の勾配を有した勾配屋根１１が、勾配屋根７，８に連続して形成される。
【００４３】
以上、本実施形態に係る建物１Ｂでは、第１の登り梁１２１、第２の登り梁１４１及び傾斜部１０８ｂが一直線状となるように設けられることで、第１の実施形態における建物１Ａよりも大きな勾配屋根（連続して一体的に構成される勾配屋根７，８，１１）を構築することができる。このように、より大きな勾配屋根を構築する場合であっても、登り梁が分割されていることにより、運搬性や施工性が低下しない。
【００４４】
次に、図７を参照し、第３の実施形態に係る勾配屋根架構１００Ｃを備える建物１Ｃについて説明する。図７は、建物１Ｃの勾配屋根架構１００Ｃを示す模式的な側面図（妻面側の構面）である。なお、建物１Ｃは、第１の実施形態に係る建物１Ａと同様の要素や構造を備えているので、同様の要素や構造には同一の符号を付して詳細な説明は省略し、第１の実施形態と異なる部分について説明する。
【００４５】
図７に示されるように、建物１Ｃにおける勾配屋根架構１００Ｃは、第１の実施形態における勾配屋根架構１００Ａの一方の裾部架構（向かって左側）１４０Ａを省略した裾部架構１４０Ｃを備えている。このように、登り梁が第１の登り梁１２１と第２の登り梁１４１とに分割されていることにより、一方側のみ（本実施形態においては図面上右側のみ）に第２の登り梁１４１を配置するような、意匠性に優れた自由な設計を容易に実現することができる。
【００４６】
次に、図８を参照し、第４の実施形態に係る勾配屋根架構１００Ｄを備える建物１Ｄについて説明する。図８は、建物１Ｄの勾配屋根架構１００Ｄを示す模式的な側面図（妻面側の構面）である。なお、建物１Ｄは、建物１Ａ及び建物１Ｃと同様の要素や構造を備えているので、同様の要素や構造には同一の符号を付して詳細な説明は省略し、第１の実施形態と異なる部分について説明する。
【００４７】
図８に示されるように、建物１Ｄにおける勾配屋根架構１００Ｄは、建物１Ｃと同様に一方の裾部架構（向かって左側）を省略した裾部架構１４０Ｃを備えたうえで、上層架構１３０Ａの間口（妻方向スパン長を）が広げられた上層架構１３０Ｄを備えたものである。これにより、上層架構１３０Ｄの上部の一部が陸屋根面１３となり、頂部架構１２０Ａの勾配屋根７の一方が陸屋根面１３に連続した構成となっている。この構成では、上層架構１３０Ｄの柱１０１が全て通し柱となっている。
【００４８】
以上、本発明について、各実施形態に係る建物１Ａ〜１Ｄを例に説明したが、本発明は上記の実施形態のみには限定されない。例えば、各実施形態では、柱勝ちの架構について説明したが、梁勝ちであってもよい。この場合、例えば、上層架構１３０Ａに対する第１の登り梁１２１の下端１２１ｃの接合は、柱１０１の頭部ではなく、梁１０５に対してなされることになるが、柱梁接合部近傍であることに変わりはない。同様に、頂部架構１２０Ａにおいて、第１の登り梁１２１の上端１２１ａ同士が棟梁１２９を介して互いに接合された例を示したが、第１の登り梁１２１同士が接合金物等によって直接接続されてもよい。
【００４９】
また、上記の各実施形態は、その目的及び構成等に特に矛盾や問題がない限り、互いの技術を流用することができる。例えば、第３、第４の実施形態における下層架構１５０Ａ対して、第２の実施形態におけるへの字梁１０８を採用してもよい（この場合、下層架構が下層架構１５０Ｂの構成となる）。
【００５０】
第１の登り梁１２１及び第２の登り梁１４１が、妻面Ｔを構成する構面Ｐのみに形成されている例を示したが、これに限定されない。例えば、桁方向のスパンを複数として、対向する妻面間に形成される妻面に平行な構面に対して第１の登り梁１２１及び第２の登り梁１４１を形成してもよい。
【符号の説明】
【００５１】
１Ａ，１Ｂ，１Ｃ，１Ｄ…建物、７，８，１１…勾配屋根、１０…袖壁、１００Ａ，１００Ｂ，１００Ｃ，１００Ｄ…勾配屋根架構、１０１，１０１Ｂ…柱、Ｐ…構面、１０５…梁、１０６…桁梁（梁）、１０８…への字梁、１０８ａ…水平部、１０８ｂ…傾斜部、１０８ｃ…屈曲部、１２０Ａ…頂部架構、１２１…第１の登り梁、１２１ａ…第１の登り梁の上端、１２１ｃ…第１の登り梁の下端、１３０Ａ，１３０Ｄ…上層架構、１３１…柱梁接合部、１４０Ａ，１４０Ｃ…裾部架構、１４１…第２の登り梁、１４１ａ…第２の登り梁の上端、１４１ｃ…第２の登り梁の下端、１５０Ａ，１５０Ｂ…下層架構、Ｔ…妻面。
【図１】
2015224465.tif 000003
【図２】
2015224465.tif 000004
【図３】
2015224465.tif 000005
【図４】
2015224465.tif 000006
【図５】
2015224465.tif 000007
【図６】
2015224465.tif 000008
【図７】
2015224465.tif 000009
【図８】
2015224465.tif 000010